(57)【要約】人工ゴルフ練習場により、寒冷地で及び全天候状況下でゴルフを練習する機会を提供する。
2006526421.tif 000002
【特許請求の範囲】
【請求項１】
屋外の天候又は明るさの条件とは無関係にゴルフの練習を行なうことを目的とする設備としての全天候型人工ゴルフ打撃練習場であって、ゴルフボールをショットするためのティーオフ設備を備える建物（２）から成り、該建物はボールを受容するレンジ領域を囲むフェンス（１）と連結し、該レンジ領域では傾斜した人工表面（５）によりゴルフボールを戻し運搬システム（６）に又は直接ティーオフ用建物（２）に戻すようになっていること、を特徴とする全天候型人工ゴルフ打撃練習場。  
【請求項２】
前記人工表面（５）を網目構造又は格子として、その開口部／網目サイズを、ゴルフボール（７）を保持できる程度に小さく、及び雪及び他の降下物を通過させる程度に大きく成形すること、を特徴とする請求項１に記載の全天候型人工ゴルフ打撃練習場。
【請求項３】
前記人工表面（５）を地面上方に支持システムで持ち上げ、それにより雪及び他の降下物を地面に及び前記人工表面の下に収容すること、を特徴とする請求項１又は２に記載の全天候型人工ゴルフ打撃練習場。
【請求項４】
前記人工表面（５）をレンジの中心軸の両側に、アクティブ型戻し運搬システム（６）に向けて傾斜させて設置し、前記戻し運搬システムをレンジの中心軸に沿って設置すること、を特徴とする請求項１、２又は３に記載の全天候型人工ゴルフ打撃練習場。
【請求項５】
前記人工表面（５）にはショットされレンジに接触したゴルフボールからの衝撃を検出する検出装置を備え、該検出装置をレンジ領域全体に配置して、全体的な距離及び方向測定システムを構成すること、を特徴とする請求項１乃至４のいずれかに記載の全天候型人工ゴルフ打撃練習場。
【請求項６】
前記人工表面（５）を少なくとも追加のゴルフグリーン（４）で部分的に覆い、該ゴルフグリーンには網目構造又は格子を備えて、その網目サイズを適切なゴルフボールの直径より小さくすること、を特徴とする請求項１乃至５のいずれかに記載の全天候型人工ゴルフ打撃練習場。
【請求項７】
前記レンジを多数の照明灯（３）で囲むこと、を特徴とする請求項１乃至６のいずれかに記載の全天候型人工ゴルフ打撃練習場。
【請求項８】
人工ゴルフグリーンとする位置を網目構造又は格子とし、該グリーンへの命中を検出する装置を備えること、を特徴とする、請求項１乃至７のいずれかに記載したような、全天候型人工ゴルフ打撃練習場の使用法。
【請求項９】
人工ゴルフ打撃練習場領域上の構成要素として使用するのに適し、格子（８）形状で網目サイズがゴルフボール（７）を保持できる程度に小さく、雪及び他の降下物を通過させる程度に大きいこと、を特徴とするレンジ板。  
【請求項１０】
非対称の格子構造（８）を有し、該格子構造には多数の平行な格子棒を上面に備え、それによりゴルフボールが格子（８）の一方向に沿って転がるが、前記平行な棒構造を乗せて格子構造（８）より下側に位置する格子構造と垂直をなす部分（９）に該ゴルフボールが接触しないこと、を特徴とする請求項９に記載のレンジ板。  
【請求項１１】
レンジ板へのゴルフボールの衝撃を検出する装置を取付けること、を特徴とする請求項９又は１０に記載のレンジ板の使用法。  
【請求項１２】
レンジ板全体にゴルフボールより大きい網目サイズの網目構造（４）が設置されていること、を特徴とする請求項９、１０又は１１に記載のレンジ板の使用法。  
【請求項１３】
請求項１乃至７に記載のいずれかによる全天候型人工レンジ領域を囲み、それによりゴルフボールが包囲された領域から出るのを防止するフェンス設備であって、該フェンス設備には領域全体を囲む下側フェンス（１５）と、該下側フェンス（１５）の上部に好適には三角形の追加部分として形成する上側フェンス（１６）を備え、前記フェンス設備には少なくとも１枚の弧形状の落下用網（１７）を含むこと、を特徴とするフェンス設備。
【請求項１４】
前記フェンス設備には少なくとも１枚の矩形の落下用網（１８）をさらに含むこと、を特徴とする請求項１３に記載のフェンス設備。
【発明の詳細な説明】
【発明の詳細な説明】
【０００１】
（背景技術）
ゴルフは通常夏場及び天気が適するとき（寒過ぎず又は濡れ過ぎず）に練習を行なうスポーツである。これは、プロ及びセミプロ選手と同様にアマチュア選手にとって冬場、特にそうした季節に寒冷及び積雪するような地域において、彼らの技能及び技術を維持することが困難なことを意味している。
【０００２】
極めて北又は南に位置する国々、例えば北欧諸国、スコットランド、カナダ、アラスカ、アイスランド、ロシア等では、年間でゴルフ練習場又はゴルフ打撃練習場での練習を実施できない時期が５０％又は６ヶ月程に及ぶかも知れない。そうした長期間に亘る中断が個々のゴルファーが自身の技能を上達させるに関しての障害になっている。
【０００３】
人工ゴルフ打撃練習場に関しては以前から提案されており、例えば英国特許第２，３５６，５７３で、該練習場にはそこからドライバーショットを打つ領域及びフェンスで囲まれた“フェアウェイ”ボール収集領域を備えている。
【０００４】
さらなる変形がティーオフ領域及び練習用ゴルフボールを収集するシステムが、米国特許第３，７９７，８２７、５，５１３，８４１及び５，５４７，１８６に記載されている。
【０００５】
米国特許第３，８６０，２３６及び４，８８９，３４２では、ゴルファーらが雨天又は寒空にそこからボールをショットできる小屋又はボックスを提案している。
【０００６】
たとえこれら種々の設備全てを冬期状況の間‐ある程度まで‐利用可能であるかも知れないとしても、どれもこの種の天候に焦点を当てたものではない。そうした設備は多分温度が０度（氷点下）を下回ると又は大雪後では全く機能しないであろう。
【０００７】
低温及び積雪といった冬の天候に適するゴルフ打撃練習場は明らかに不足している。
【０００８】
対象となるそうした設備に関して、それが含むべきものとして：
‐風雨に曝されず暖房されたティーオフ領域
‐適切なボール収集及び運搬システム
‐挑戦的なレンジ距離（ゴルフクラブをフルスイングする練習を可能にする）
が挙げられる。そうした要求に対する現在までの唯一の解決策としては、完全な屋内の設備を有し、望ましいレンジサイズに応じて極めて高い構築費用がかかるであろう建物であった。
【０００９】
ここで提案するシステムにより、おそらく初めての手頃な価格の全天候型人工ゴルフ打撃練習場が提供される。
【００１０】
（発明の概要）
本発明は、天候に関係無くゴルフ練習をするために意図されたもので、ティーオフを“屋内”に屋外にレンジ領域を有するゴルフ打撃練習場の形態をとる。  
【００１１】
レンジの一端部には建物を設置し、該建物には好適には照明灯及び熱風によるカーテンを通過させてゴルフボールをショットするためのティーオフ設備を備えている。
【００１２】
この建物に連結してフェンスを、ボールを受容するレンジ領域の周りに囲む。人工表面をレンジの中心軸両側に設け、それらを該中心軸の運搬システムに向かい傾斜させて、ゴルフボールをティーオフ用建物まで戻す。
【００１３】
人工表面を網目構造又は格子にし、上げ床として地面上方に持ち上げる。網目構造の網目サイズはゴルフボールを保持できる程度に小さく、雪等を通過させ、上げ床の下で収集できる程度に大きくする。
【００１４】
こうした仕組みを基に、追加機能として距離測定及びゴルフグリーンの練習を備え、ゴルファーに対して結果も表示する。 
【００１５】
レンジ板は、上げ床を構築するのに好適な構成材料であり、本発明の一部を成す。
【００１６】
（発明を実施するための最良の形態）
図面に関して詳細に言及する。
【００１７】
本全天候型人工ゴルフ打撃練習場は、上述したように、ゴルフ練習用システムであり、該システムには高いフェンス（１）で囲んだ領域を備え、該フェンスは典型的には糸等からできたネット製である。フェンスの高さを調節して、レンジシステムの各部分でのゴルフボールの軌道高さ（ティーオフ区画からの距離に合わせて変化させてもよい）、好適には最高３５メートルの高さ、にする。  
【００１８】
このフェンス（１）を、複数のゴルファー用に多数のティーオフ区画を備える建物（２）から、全レンジ領域を囲み、建物の反対側に戻るまで張り巡らす。
【００１９】
建物及びレンジ領域  
建物をレンジ領域に向けて開放し、それによりゴルファーは直立してドライバーショットをレンジ領域上に又は人工レンジシステムの“フェアウェイ”上に円錐形状の空間で理論的な最大開き度が水平方向に−９０度〜＋９０度及び垂直方向に０度〜９０度において打つことができるが、この理論的なショット角度を練習では‐選択するレンジ距離により‐かなり狭くできる。建物のティーオフ用開放部の範囲を、要求に応じて、建物側面に1つずつ個別的にから側面全体までとしてもよい。
【００２０】
フェンスを多くの柱（３）で支持するが、建物と共に、照明灯を保持してレンジを照明するのが好ましい。柱間の距離を、好適には２０〜５０メートルの範囲にする。フェンスを構成するウエビングの網目サイズはゴルフボールの通過を防止する大きさとする。こうした網目サイズの範囲は好適には最高１０．０００ｍｍ２であるが、必ずしもそうである必要はなく、下限は１ｍｍ２であり、上限は、網目サイズはボールが網に極めて平坦な角度で当たった場合ゴルフボールより大きくてもよく、“上限”角度をゴルフボールが網に当たる角度の余弦により求める、という事実から画定される。
【００２１】
建物（２）には暖房装置を備えており、そのため冬場又は天気が悪くても使用できる。ティーオフ用開放部には、好適には、熱風による“カーテン”を設けて、それにより建物内部を暖かく保ち、寒い戸外と隔てる。暖房として適切な別の手段としては、赤外線暖房装置がある。建物をコンパートメントに分割し、１つのコンパートメントを各個人（又はグループ）のティーオフ用とし、其々がレンジ領域に向かう開放部を有する。ティーオフ用コンパートメントとして可能なサイズは４〜９ｍ２であるかも知れない。
【００２２】
建物を地面の上方に設置し、レンジ領域も同様して、それによりレンジ領域の下に冬の積雪を収容する。或いは、建物を２階建て以上に設計して、ティーオフ用開放部をそれら其々からレンジ領域に向けて設けることが可能である。
【００２３】
フェンス（１）で囲んだレンジ領域の形状及び寸法は、建物（２）で練習中のプレーヤーからのゴルフショットを良好に受容する程度に大きければよく、重要ではない。しかしながら、矩形が全天候型人工ゴルフ打撃練習場には好ましい。レンジ領域の例としては、２５ｘ１５０メートルの寸法のものが可能だが、２５ｘ３０メートルの寸法のものまで適切かも知れない。レンジ領域の別の例としては、４０ｘ３００メートル〜４０ｘ３０メートルのものもある。
【００２４】
レンジ領域を覆って網を取付けて、安全及び経済的両理由のため、ゴルフボールをレンジシステム内に留めるようにしてもよい。かかる網の網目サイズは上述した範囲としてもよい。
【００２５】
上げ床
レンジ領域の底部を、網目構造又は格子（５）状の上げ床で覆う。地面からの高さは、好適には最低点で約０．３〜１メートルだが、地形や特有な積雪の深さ等の現地の状況により異なる。
【００２６】
レンジ領域の網目構造又は格子は目の粗い網目構造を有し、該網目を出来る限り大きく、しかしその構造からゴルフボールを落下させずに保てる程度に小さくする。その結果、網目構造又は格子はボール収集及び戻し運搬機能の一部となる一方、その構造を通して例えば雨や雪を落下させ、レンジ領域の上げ床の下に収容できる。
【００２７】
かかる網目構造又は格子の好適な網目サイズの範囲は１〜３００ｃｍ２（極めて細長い網目形状ではより大きな値となる）である。網目構造における開口部を、円形、多角形、台形又は矩形等の任意の形状とすることができるが、矩形又は四角形が好ましい。レンジ板の上面を平滑にしてもよく、又は図５で示すように隆起を設けてもよい。レンジ板に隆起を設けた場合、そうした隆起でボール収集システムに向けて走る通路を形成する。レンジ板において矩形の開口部を選択し、開口部の面積をゴルフボールの断面積より大きくした場合には、開口部の横軸長さをゴルフボール直径より小さくする。
【００２８】
レンジ領域の上げ床（５）にはボール収集機能を備えており、そのために好適には中央の戻し運搬機構（６）に向かい緩やかな傾斜が設けられている。この傾斜を十分大きくして確実にゴルフボールが上げ床に溜まらないようにする。
【００２９】
そうした傾斜の差は２度〜１５度が好ましい。
【００３０】
これらの仕組みの一適用例として、上げ床を構築する際に専用の堅固な格子構成要素を使用するが、これを“レンジ板”と以下称する。しかしながら、本発明の仕組みである特定の網目サイズを有し地面上方に持ち上げたレンジ領域の網目構造は、硬性材料又は柔軟材料からできたいかなる網目構造に対しても有効である。
【００３１】
かかるレンジ板で使用可能な剛性材料は、金属（アルミニウム又はステンレス鋼）又はプラスチックであるかも知れない。
【００３２】
複数の全天候型ゴルフ打撃練習場を共通の側面に沿ってフェンスを設けずに並べて設置して、より広いレンジ領域を創出してもよい。
【００３３】
レンジ板
上述したように、レンジ領域の上げ床（５）をレンジ板から構成する（図３及び図４参照）のが好ましい。レンジ板を設計する際には、レンジ板を上げ床に取付けた後真直ぐに保つことに重点を置き、レンジ板が途中で下降してそのためにボールが戻し運搬機構（６）に転がり降りる際の収集機能が悪化しないようにする。
【００３４】
従って、レンジ板のサイズ及び材料はその剛性が最適化されるよう設定する。必要であれば、レンジ板の下に追加の腹起しを使用してもよい。
【００３５】
さらにはレンジ板厚をできるだけ厚く設計して、軽量及び容易な取扱いといった要求も満たすのが好ましい。レンジ板の格子の厚さにより板の剛性が増大するが、板厚は１５〜５０ｍｍの範囲が好適で、約３０ｍｍが最も好適である。
【００３６】
格子を好適には非対称とし、それによりレンジ板表面となる部分を、ゴルフボールを転がせたい方向と平行にして、該方向と垂直とする部分より高くする。図５を参照して戴きたい。提案したレンジシステムの上げ床に、該板構造の上側部分をレンジ領域の中心軸（及び戻し運搬機構（６））と９０度を成すよう取付ける。この板構造の２段間の差を１〜１５ｍｍ、好適には４〜１０ｍｍとする。これは基本的には、ゴルフボール（７）が格子の上側部分に留まる、下側部分に接触する、或いは止まるのを防ぐことを目的としている。従って、この構造の２部分間の高さは、格子の長手方向の棒（８）間の距離により異なる、というのもこの距離で下側構造（９）に向けてボールが奥まで達する程度が決まるからである。
【００３７】
さらにより好適には、レンジ板をしっかりと互いに接近させて設置し、それにより十分に被覆した表面を形成できる。この目的のために、レンジ板には留め金、フック等（１０、１１）を備えて、板同士及び／又は板と支持構造を機械的に連結してもよい。留め金をレンジ板の底部又は下側に設置し、そうすることで格子の頂部で転がるゴルフボールを妨害しないようにする。
【００３８】
さらに好適には、レンジ板を振動に関して互いに分離させる。吸収材料を防振動性実装部（１１）で使用して、場合によっては先に述べた機械的連結に組み込み、これを行なう。図６では振動吸収装置（１１）を示している。
【００３９】
各レンジ板のこうした分離は、距離測定システムにとって重要である。これは板にかかる衝撃の検出を特定の板と分離して行ない、誤検出を回避するためである。距離測定に関するシステムについて以下に説明する。
【００４０】
１枚のレンジ板の可能な寸法を１〜１５メートルｘ５〜２０メートル、例えば３ｘ１０メートルとすることができる。更にレンジ板のサイズ及び重さを２人で１枚の板を容易に取扱い可能なものにすべきである。レンジ板の最終的な設計‐全体寸法、材料、網目サイズ等‐は上記の必要条件に基づいて専門家が作成する。
【００４１】
距離測定
レンジ領域の任意部分へのゴルフのドライバーショットを検出及び記録し、該ショットの距離及び方向を練習中のゴルファーに示すために、上げ床に衝撃検出装置を備えるのが好ましい。
【００４２】
検出を圧力検出装置、振動検出装置等を上げ床の網目構造の下又は中に取付けて使用して行なえる。ゴルフボールが例えば１枚のレンジ板で、好適には格子から成るレンジ板、に当ると、衝撃が検出され信号が表示装置に送信される。次に表示装置は距離を示すが、この距離の分解能は基本的にはレンジ板サイズにより決定される。図４は、レンジ領域を上方から見た図であり、レンジ板を並べて、各板をその中心軸をレンジ領域の中心軸に対して９０度にして取付ける方法を示している。既に述べた変換装置／検出装置（例えば、圧力又は振動）からの信号を好適には、戻し運搬も行なう、レンジ板の中心軸に沿って転送する。検出装置を各板の中間に取付けて図示している。
【００４３】
表示装置では最近の数ショット（例えば、１０）の距離を同時に表示させるのが好ましい。また、磁気又はマイクロ波等の原理に基づく、レンジ領域上での衝撃を記録する他の手段を使用してもよい。
【００４４】
人工ゴルフグリーン
１つ又は複数の人工ゴルフグリーン（４）を上げ床の頂部、及び上方に、取付けるのが好ましい。好適には、同じ網目構造又は格子でレンジ領域のレスト部として作成する。そうしたグリーンに縁部を成形して、それによりグリーン上にボールを拘束して留める。グリーンの表面を好適には、ボールが上げ床に落下できる穴に向かい内側に傾斜させる。グリーンからボールが落下するのを検出するシステム（マイクロスイッチ、フォトセル等）を有して、それにより前述したのと同じ表示装置にグリーンへの命中を示すのが好ましい。
【００４５】
ボールの戻し運搬
好適には、ショットされてレンジ領域に乗ったゴルフボールを戻し運搬する機構（図３及び図４で矢印で示した）を備える。かかる機構としては、パッシブ型又はアクティブ型のもの又は両者を組合せたものが可能である。
【００４６】
パッシブ型戻し運搬は、網目構造又は格子を直接建物及びティーオフ領域に戻すように傾斜させる又はアクティブ型運搬システムに向けて傾斜させることにより得られる。
【００４７】
本発明では全体図１の（６）で示す機構のように、レンジ領域の上げ床をアクティブ型運搬システムに向けて傾斜させるのが好ましい。
【００４８】
アクティブ型戻し運搬は、機械的又は電気的に駆動されるコンベアベルト又は運搬リフト等の運搬システムを設置することにより得られる。アクティブ型運搬システムは、好適にはレンジ領域主軸上の設置に適する被覆部分に構築され、ボールが両側で主軸に向かい傾斜する上げ床から開口部を経由して入るようになっている。アクティブ型運搬システムの詳細な設計については、これらの必要条件に基づき、その分野の専門家が作成する。
【００４９】
レンジ板の別の配置では第２の網目構造又は格子を既に記述した上げ床の上方に取付ける。第２の、より上方に設置する網目構造の網目サイズをゴルフボールより大きくし、それにより強力なゴルフショットに対する障壁として機能させ、激しい衝撃を、及び損傷の危険を、以下のより壊れ易いレンジ板に与えるのを軽減する。
【００５０】
床高の位置に関する好適な実施例を図２に表すが、参照番号１２は上げ床の最高位置を示し、参照番号１３は上げ床の最低位置を示し、参照番号１４は地表面を示している。
【００５１】
ゴルフ練習場領域の周囲に巡らすフェンスに加えて、本発明の人工ゴルフ練習場領域外に落下しようとした軌道を示すゴルフボールを捕獲する網の可能な配置を図７に示す。フェンスには、本発明による人工ゴルフ練習場を囲む下側フェンス１５及びレンジ領域の両側に張られ、下側フェンス１５の上部にある２枚の三角形をした上側フェンス１６を含む。上側フェンスの最高点は、好適には約２５〜３５メートルの高さにある。
【００５２】
さらには、１枚又は複数枚の落下用網をフェンスに付属して逸れたゴルフボールを捕獲するのが好ましい（が厳格には要求しない）。従って弧形状の落下用網１７をフェンスの最高点に設置してもよく、及び建物２と本発明による人工ゴルフ練習場の最遠方部分との間に四角形の落下用網１８を設けてもよい。
【００５３】
本発明を、添付図及び本発明の好適な種類を参照して説明してきた。
【００５４】
しかしながら、それらの種類に代わる別の変形例も本発明のクレームの範囲内において見出されるかも知れない。
【図面の簡単な説明】
【００５５】
【図１】発明されたシステムである、全天候型人工ゴルフ打撃練習場全体の全体図である。
【図２】上げ床の仕組みを示した全体図である。
【図３】レンジ領域用の基本的な床構成要素である“レンジ板”の例の概略を示した図である。
【図４】レンジ板の配置及びレンジ領域の一部分での衝撃検出装置の取付けに関して全体的に描写した図である。
【図５】レンジ板の断面を示した図であり、該板の表面構造をゴルフボールと共に示している。
【図６ａ】図示された隣接する板又は支柱に対する振動ダンパを有するレンジ板の可能な形状を表した主要な図である。
【図６ｂ】図示された隣接する板又は支柱に対する振動ダンパを有するレンジ板の可能な形状を表した主要な図である。
【図７】本発明による全天候人工ゴルフ打撃練習場の好適なフェンス配置の全体図である。フェンスには逸れたゴルフボールを捕獲するために配置された特定の種類の網を備えている。
【符号の説明】
【００５６】
１            フェンス
２            建物
３            柱
４            人工ゴルフグリーン
５            網目構造又は格子、上げ床、人工表面
６            戻し運搬機構
７            ゴルフボール
８            長手方向の棒、格子構造
９            下段構造、垂直な部分
１０            留め金
１１            フック
１５            下側フェンス
１６            上側フェンス
１７、１８        落下用網
【図１】
2006526421.tif 000003
【図２】
2006526421.tif 000004
【図３】
2006526421.tif 000005
【図５】
2006526421.tif 000006
2006526421.tif 000007
【図４】
2006526421.tif 000008
【図７】
2006526421.tif 000009
【手続補正書】
【提出日】平成18年1月27日(2006.1.27)
【手続補正１】
【補正対象書類名】特許請求の範囲
【補正対象項目名】全文
【補正方法】変更
【補正の内容】
【特許請求の範囲】
【請求項１】
屋外又は天候の明るさ又は気象状態とは関係無くゴルフの練習を行なうことを目的とする設備としての全天候型人工ゴルフ打撃練習場であって：
ａ）ゴルフボールをショットするためのティーオフ設備を備える建物（２）と、
ｂ）ボールを受容するレンジ領域を囲み前記ティーオフ建物（２）に隣接するフェンス（１）と、
ｃ）１つ又は複数の人工表面（５）を含み、該人工表面を網目構造又は格子として、その開口部／網目サイズをゴルフボール（７）を保持できる程度に小さく、雪及び他の降下物が通過し落下できる程度に大きく成形するボールを受容するレンジ領域であって、前記人工表面を地面上方に持上げ、該人工表面用の支持体を含む前記レンジ領域と、
ｄ）前記人工表面（５）により収集されるゴルフボールをティーオフ建物（２）に戻す、ゴルフボール（７）のためのアクティブ型戻し運搬システムと、
を備えることを特徴とする全天候型人工ゴルフ打撃練習場。
【請求項２】
人工表面（５）を地表面から上方に０．３〜１．０ｍ持上げること、を特徴とする請求項１に記載の全天候型人工ゴルフ打撃練習場。
【請求項３】
網目構造又は格子における開口部の網目サイズは１〜３００ｃｍ２であること、を特徴とする請求項１又は２に記載の全天候型ゴルフ打撃練習場。
【請求項４】
人工表面（５）をレンジの中心軸の両側に、ゴルフボールのためのアクティブ型戻し運搬システム（６）に向けて傾斜させて設置し、前記運搬システムをレンジの中心軸に沿って設置すること、を特徴とする請求項１に記載の全天候型ゴルフ打撃練習場。
【請求項５】
人工表面（５）には、ショットされレンジに接触したゴルフボールの衝撃からの信号を発信し、レンジ領域全体に配置される変換装置／検出装置を備え、それによりゴルフボールの軌道に関する全体的な距離及び方向測定システムを構成すること、を特徴とする請求項１乃至４のいずれかに記載の全天候型ゴルフ打撃練習場。
【請求項６】
前記変換装置／検出装置は圧力検出装置及び／又は振動検出装置であること、を特徴とする請求項５に記載の全天候型ゴルフ打撃練習場。
【請求項７】
網目構造又は格子を、網目構造又は格子でできた上げ床の上部に、レンジ領域のレスト部に相当させて設けること、を特徴とする請求項１乃至６のいずれかに記載の全天候型人工ゴルフ打撃練習場。
【請求項８】
人工ゴルフ打撃練習場の構成要素として使用するのに適し、格子（８）としてその網目サイズがゴルフボール（７）を保持できる程度に小さく、雪及び／又は他の降下物を通過させる程度に大きく成形されること、を特徴とするレンジ板。
【請求項９】
網目サイズの面積は１〜３００ｃｍ２の範囲であること、を特徴とする請求項８に記載のレンジ板。
【請求項１０】
非対称の格子構造（８）を有し、該格子構造には上面に多数の平行な格子棒と、底面に該平行な格子棒に対して下方にそれと垂直な多数の格子棒とを備え、それによりゴルフボールが格子（８）の一方向に沿って転がるが、前記平行な棒構造を乗せている格子構造の垂直をなす部分（９）に該ゴルフボールが接触しないこと、を特徴とする請求項８又は９に記載のレンジ板。
【請求項１１】
ゴルフボールがレンジ板に接触した衝撃を検出すること、を特徴とする請求項８又は９に記載のレンジ板にある変換装置／検出装置の使用法。
【請求項１２】
検出を圧力及び／又は振動を記録することで実施すること、を特徴とする請求項１１に記載の変換装置／検出装置の使用法。
【請求項１３】
レンジ板全体にゴルフボールより大きい網目サイズを持つ網目構造（４）が設置されていること、を特徴とする請求項１１又は１２に記載の使用法。
【請求項１４】
請求項１乃至７に記載のいずれかによる全天候型人工レンジを囲み、それによりゴルフボールが該全天候人工レンジから出るのを防止するフェンス設備であって、該フェンス設備には全天候人工レンジを囲む下側フェンス（１５）と、該下側フェンス（１５）の上部にレンジの長手方向部分に沿って追加の三角形部分を形成する２枚の上側フェンス（１６）を備え、三角形のフェンス部分（１６）の最高点は前記人工レンジ上方約２５〜３５メートルの高さに存在すること、を特徴とするフェンス設備。
【請求項１５】
追加として少なくとも１枚の弧形、矩形又は台形をした横断方向の落下用網を追加の三角形フェンス（１６）の最高点に含むこと、を特徴とする請求項１４に記載のフェンス設備。
【請求項１６】
さらに少なくとも１枚の矩形又は台形をした落下用網（１８）を追加の三角形フェンス（１６）の最高点の後方に備えること、を特徴とする請求項１４又は１５のいずれかに記載のフェンス設備。
【国際調査報告】
2006526421.tif 000010
2006526421.tif 000011
2006526421.tif 000012